(57)【要約】【課題】  原稿押圧部材が閉じた状態で行われる原稿の読み取り画像の色判定において原稿の広い領域を判定領域としつつ、原稿押圧部材が開いた状態で行われる原稿の読み取り画像の色判定において原稿の浮きの影響による誤判定を低減する。【解決手段】  色判定手段は、開閉検知手段において原稿押圧部材が閉じていると検知された状態で行う判定において、原稿のサイズに基づいた色判定領域を用い、開閉検知手段において原稿押圧部材が開いていると検知された状態で行う判定において、原稿のサイズに基づいた色判定領域を狭くした他の色判定領域を用いる。【選択図】  図８
2018125688.tif 000002
【特許請求の範囲】
【請求項１】
原稿を載置する原稿台と、
前記原稿台の上に載置された原稿を押圧し、開閉可能な原稿押圧部材と、
前記原稿押圧部材の開閉状態を検知する開閉検知手段と、
前記原稿台に載置された前記原稿を読み取り、前記原稿の画像データを生成する画像読み取り手段と、
前記原稿の画像データにカラーが含まれているか否かの判定する色判定領域を用いて、前記画像読み取り手段によって生成された前記原稿の画像データがカラーであるかモノクロであるかを判定する色判定手段と、
を有し、
前記色判定手段は、
前記開閉検知手段において前記原稿押圧部材が閉じていると検知された状態で行う判定において、前記原稿のサイズに基づいた色判定領域を用い、
前記開閉検知手段において前記原稿押圧部材が開いていると検知された状態で行う判定において、前記原稿のサイズに基づいた色判定領域を狭くした他の色判定領域を用いることを特徴とする画像形成装置。
【請求項２】
前記開閉検知手段において前記原稿押圧部材が閉じていると検知された状態で行う判定における前記原稿のサイズに基づいた色判定領域と、前記開閉検知手段において前記原稿押圧部材が開いていると検知された状態で行う判定における前記原稿のサイズに基づいた色判定領域とが、同じ領域であることを特徴とする請求項１に記載の画像形成装置。
【請求項３】
前記他の色判定領域は、前記開閉検知手段において前記原稿押圧部材が開いていると検知された状態で行う判定における前記原稿のサイズに基づいた色判定領域の周囲を狭めた領域であることを特徴とする請求項１または２に記載の画像形成装置。
【請求項４】
前記開閉検知手段において前記原稿押圧部材が開いていると検知された状態で行う判定における前記原稿のサイズに基づいた色判定領域の狭め量が記憶された記憶部を有し、
前記色判定手段は、前記記憶部で記憶された狭め幅を基に、前記開閉検知手段において前記原稿押圧部材が開いていると検知された状態で行う判定における前記原稿のサイズに基づいた色判定領域を狭くすることを特徴とする請求項１乃至３のいずれか１項に記載の画像形成装置。
【請求項５】
前記記憶部には、前記狭め量を含む複数の狭め量が記憶され、
前記記憶部に記憶された前記複数の狭め量の中から狭め量を選択する選択手段を有し、
前記色判定手段は、前記選択手段で選択された狭め量を基に前記開閉検知手段において前記原稿押圧部材が開いていると検知された状態で行う判定における前記原稿のサイズに基づいた色判定領域を狭くすることを特徴とする請求項４に記載の画像形成装置。
【請求項６】
前記記憶部には、前記狭め量として固定値が記憶され、
前記色判定手段は、前記狭め量の情報を基に前記開閉検知手段において前記原稿押圧部材が開いていると検知された状態で行う判定における前記原稿のサイズに基づいた色判定領域を狭めることを特徴とする請求項４に記載の画像形成装置。
【請求項７】
前記開閉検知手段において前記原稿押圧部材が開いていると検知された状態で行う判定における前記原稿のサイズに基づいた色判定領域の狭め量を受け付ける第１受け付け手段と、
前記色判定手段は、前記第１受け付け手段が受け付けた狭め量を基に、前記開閉検知手段において前記原稿押圧部材が開いていると検知された状態で行う判定における前記原稿のサイズに基づいた色判定領域を狭めることを特徴とする請求項１乃至３のいずれか１項に記載の画像形成装置。
【請求項８】
前記第１受け付け手段において受け付け可能な、前記開閉検知手段において前記原稿押圧部材が開いていると検知された状態で行う判定における前記原稿のサイズに基づいた色判定領域の狭め量に、上限を設けることを特徴とする請求項７に記載の画像形成装置。
【請求項９】
前記開閉検知手段において前記原稿押圧部材が閉じていると検知された状態で行う判定における前記原稿のサイズに基づいた色判定領域および前記開閉検知手段において前記原稿押圧部材が開いていると検知された状態で行う判定における前記原稿のサイズに基づいた色判定領域の各々の周囲を囲むように、色判定を行わない非判定領域が設定されることを特徴とする請求項１乃至８のいずれか１項に記載の画像形成装置。
【請求項１０】
前記非判定領域を囲むように、前記画像データの生成を行う際に前記原稿の読み込みを行わない非読み取り領域が設定されることを特徴とする請求項９に記載の画像形成装置。
【請求項１１】
前記原稿のサイズを受け付ける第２受け付け手段を有することを特徴とする請求項１乃至１０のいずれか１項に記載の画像形成装置。
【請求項１２】
前記原稿のサイズに基づいた色判定領域を設定する領域設定手段と、
前記領域設定手段で設定した色判定領域を記憶する記憶手段と、
を有し、
前記領域設定手段が、前記原稿のサイズに基づいた色判定領域を設定し、前記記憶手段に前記原稿のサイズに基づいた色判定領域を記憶させた後に、前記開閉検知手段が、前記原稿押圧部材の開閉状態を検知することを特徴とする請求項１乃至１１のいずれか１項に記載の画像形成装置。
【請求項１３】
前記開閉検知手段が、前記原稿押圧部材の開閉状態を検知した後に、前記色判定手段が、前記開閉検知手段において前記原稿押圧部材が閉じていると検知された状態で行う判定における前記原稿のサイズに基づいた色判定領域の設定、または、前記開閉検知手段において前記原稿押圧部材が開いていると検知された状態で行う判定における前記他の色判定領域の設定を行い、その後に、前記画像読み取り手段が前記画像データを生成することを特徴とする請求項１２に記載の画像形成装置。
【請求項１４】
原稿を載置する原稿台と、前記原稿台の上に載置された原稿を押圧し、開閉可能な原稿押圧部材と、を有する画像形成装置の制御方法であって、
前記原稿押圧部材の開閉状態を検知する開閉検知工程と、
前記原稿台に載置された前記原稿を読み取り、前記原稿の画像データを生成する画像読み取り工程と、
前記原稿の画像データにカラーが含まれているか否かの判定する色判定領域を用いて、前記画像読み取り手段によって生成された前記原稿の画像データがカラーであるかモノクロであるかを判定する色判定工程と、
を有し、
前記色判定工程において、
制御部が、前記開閉検知工程において前記原稿押圧部材が開いていると検知された状態で判定を行う場合に、前記原稿のサイズに基づいた前記色判定領域を狭くする制御を行い、前記開閉検知工程において前記原稿押圧部材が閉じていると検知された状態で判定を行う場合に前記原稿のサイズに基づいた前記色判定領域の大きさを変更する制御を行わないことを有することを特徴とする画像形成装置の制御方法。
【請求項１５】
請求項１４に記載の制御方法を、コンピュータに実行させるためのプログラム。
【請求項１６】
請求項１５に記載のプログラムを格納したコンピュータで読み取り可能な記憶媒体。
【発明の詳細な説明】
【技術分野】
【０００１】
本発明は、画像形成装置、画像形成装置の制御方法、プログラム、および記憶媒体に関する。
【背景技術】
【０００２】
従来、原稿台に載置された原稿を読み取る画像形成装置が知られている。原稿台に原稿を載置して原稿を読み取る場合、圧板等の原稿押圧部材を閉じることによって原稿を上から押さえることで、原稿の浮きの影響が低減される。
【０００３】
特許文献１の画像形成装置は、操作者が設定した読み取り領域の情報とセンサが検知した原稿サイズの情報を取得している。そして、原稿押圧部材が開いている場合には、読み取り領域と検知した原稿サイズの大きさを比較し、読み取り領域が大きい場合には、センサによって検知した原稿サイズを判定領域としている。この判定領域を用いて原稿の読み取り画像がカラーかモノクロかを判定する自動カラー判定（ＡＣＳ）を行う。
【先行技術文献】
【特許文献】
【０００４】
【特許文献１】特開２０１０−４１３８９号公報
【発明の概要】
【発明が解決しようとする課題】
【０００５】
原稿台に載置された原稿を連続的に複数読み取る場合には、原稿の置き換えを容易とするため、原稿押圧部材が開いている状態のまま原稿の読み取りを行うことがある。
【０００６】
原稿押圧部材が開いている状態で、原稿台に載置された原稿の読み取りを行う場合に、例えば、カールしやすい薄い原稿や、角をステープル止めされている原稿束等の折り目がついた原稿は、原稿押圧部材を閉じた状態に比べて原稿の端部が浮きやすい。
【０００７】
画像形成装置は、光源から光を原稿に当てて、反射光を読み取ることで原稿の画像を読み取っているため、白色の紙の原稿の読み取りを行ったとしても原稿の端部が浮いた状態では、端部が黒色、薄い青色や緑色の画素として読み取られることがある。そのため自動カラー判定機能が有効である場合にモノクロの原稿の読み取りを行ったとしても、原稿の端部が浮いていると、原稿の読み取り画像が誤ってカラーと判定されるおそれがある。
【０００８】
一方、原稿押圧部材が閉じている場合には、原稿の浮きの影響が低減される。そのため、原稿の広い領域をＡＣＳの判定領域とし、原稿の中心から遠い位置だけにカラーがある場合であっても、カラー原稿であると判定したい。
【０００９】
特許文献１では、原稿押圧部材が開いている場合に原稿の浮きの影響による誤判定を低減することが出来ない。
【００１０】
本発明の画像形成装置は、原稿押圧部材が閉じた状態で行われる原稿の読み取り画像の色判定において原稿の広い領域を判定領域とし、開いた状態で行われる原稿の読み取り画像の色判定において原稿の浮きの影響による誤判定を低減することを目的とする。
【課題を解決するための手段】
【００１１】
本発明は、原稿を載置する原稿台と、原稿台の上に載置された原稿を押圧し、開閉可能な原稿押圧部材と、原稿押圧部材の開閉状態を検知する開閉検知手段と、原稿台に載置された原稿を読み取り、原稿の画像データを生成する画像読み取り手段と、原稿の画像データにカラーが含まれているか否かの判定する色判定領域を用いて、画像読み取り手段によって生成された原稿の画像データがカラーであるかモノクロであるかを判定する色判定手段と、を有し、色判定手段は、開閉検知手段において原稿押圧部材が閉じていると検知された状態で行う判定において、原稿のサイズに基づいた色判定領域を用い、開閉検知手段において原稿押圧部材が開いていると検知された状態で行う判定において、原稿のサイズに基づいた色判定領域を狭くした他の色判定領域を用いることを特徴とする。
【発明の効果】
【００１２】
原稿押圧部材が閉じた状態で行われる原稿の読み取り画像の色判定において原稿の広い領域を判定領域としつつ、原稿押圧部材が開いた状態で行われる原稿の読み取り画像の色判定において原稿の浮きの影響による誤判定を低減することが可能となる。
【図面の簡単な説明】
【００１３】
【図１】画像形成装置のシステムブロック図
【図２】画像形成装置の断面模式図および原稿台の平面模式図
【図３】読み取り部および原稿押圧部材の断面模式図
【図４】原稿模式図および画像データ模式図
【図５】原稿押圧部材が開いている状態の原稿読み取り動作説明図、原稿模式図および画像データ模式図
【図６】画像データ模式図
【図７】原稿模式図
【図８】画像データ模式図
【図９】ＡＣＳの処理手順を示すフローチャート
【発明を実施するための形態】
【００１４】
（実施例１）
図１は、画像形成装置の一例であるＭＦＰ１００のシステムブロック図である。読み取り部１３０は、原稿を読み取り、画像データを生成する画像入力デバイスである。また、原稿から画像データを生成するのとは別に原稿サイズを検出することも可能である。また、読み取り部１３０は、後述の原稿押圧部材の開閉状態を検知することも可能である。
【００１５】
印刷部１４０は、生成された画像データに基づいた画像を媒体に印刷する。制御部１１０は、読み取り部１３０や印刷部１４０と接続されており、画像情報の入出力を制御する。また、制御部１１０はＬＡＮに接続され、ＬＡＮを経由して不図示のＰＣやサーバから印刷ジョブの受信などを行う。ＣＰＵ（Ｃｅｎｔｒａｌ  Ｐｒｏｃｅｓｓｉｎｇ  Ｕｎｉｔ）１１１は、ＭＦＰ１００全体の動作を制御する。
【００１６】
ＲＡＭ（Ｒａｎｄｏｍ  Ａｃｃｅｓｓ  Ｍｅｍｏｒｙ）１１２は、ＣＰＵ１１１のワークメモリとして機能する。また、ＲＡＭ１１２は、画像データを一時的に記憶する。具体的には、読み取り部１３０で生成した画像データを記憶する。
【００１７】
ＨＤＤ（Ｈａｒｄ  Ｄｉｓｋ  Ｄｒｉｖｅ）１１４は、システムソフトウェア、画像データ、ＭＦＰ１００の動作を制御するためのプログラム等が格納された大容量記憶装置である。ＨＤＤ１１４は、システムソフトウェア、ジョブ履歴情報、操作者ボックス内の画像データなどを記憶する。また、ＨＤＤ１１４は、読み取り部１３０で生成し、画像処理部１１８で画像処理を施した画像データを記憶する。
【００１８】
ＨＤＤ１１４に記憶されたプログラムは、ＲＡＭ１１２にロードされＣＰＵ１１１により実行される。なお、ＨＤＤの代わりに又はＨＤＤと併用してソリッドステートドライブ（ＳＳＤ）等の他の記憶装置を備えていてもよい。なお、本実施例においてＨＤＤ１１４には、後述の画像処理部１１８がカラー判定を行う際に用いる色判定領域のサイズを変更するための情報が記憶されている。
【００１９】
ＲＯＭ（Ｒｅａｄ  Ｏｎｌｙ  Ｍｅｍｏｒｙ）１１３は、ブートＲＯＭとして機能し、ＭＦＰ１００のブートプログラムが格納される。
【００２０】
ネットワークＩ／Ｆ１１５は、ＬＡＮに接続され、ＬＡＮを介して画像データ、およびその他の情報の入出力を行う。
【００２１】
デバイスＩ／Ｆ１１６は、画像入出力デバイスである読み取り部１３０，印刷部１４０と、制御部１１０とを接続し、画像データの変換を行う。
【００２２】
操作部１５０は、操作者からの入力を受け付けるキーボードを備えている。また、操作部１５０は、操作画面を表示し、タッチパネルによって操作者から操作を受け付ける液晶パネルを備えている。
【００２３】
操作部Ｉ／Ｆ１１７は、操作部１５０と制御部１１０を接続するインタフェースであり、操作部１５０のディスプレイに表示するための画像データを操作部１５０に伝達する。また、操作部Ｉ／Ｆ１１７は、操作部１５０から操作者が入力した情報をＣＰＵ１１１に伝達する。
【００２４】
画像処理部１１８は、ＬＡＮ経由でデバイスＩ／Ｆ１１６から入出力される画像データに対して補正、加工、編集を行う。さらに、画像処理部１１８は、画像データを用いて、カラー判定を行う。具体的には、原稿を読み取って生成される画像データを用いて原稿がカラー原稿か、モノクロ原稿かを判定する。画像メモリ１１９は、読み取り部１３０で生成した画像データおよび画像処理部１１８で処理を行う前後の画像データを一時的に記憶するためのメモリである。なお、図１では画像メモリ１１９をＲＡＭ１１２と別に示したが、ＲＡＭ１１２の一部の領域として扱われてもよい。
【００２５】
ＣＰＵ１１１、ＲＡＭ１１２、ＲＯＭ１１３、ＨＤＤ１１４、ネットワークＩ／Ｆ１１５、デバイスＩ／Ｆ１１６、操作部Ｉ／Ｆ１１７、画像処理部１１８、画像メモリ１１９は、データバス１２０に接続される。なお、ＲＡＭ１１２、ＨＤＤ１１４、画像メモリ１１９は記憶部となる。
【００２６】
図２（ａ）では、画像形成装置の断面模式図の一例を示し、図２（ｂ）では、原稿台の平面模式図の一例を示す。
【００２７】
ＭＦＰ１００は、原稿押圧部材２００、読み取り部１３０、印刷部１４０を含んで構成される。図２では、印刷部１４０の詳細な説明は省略する。
【００２８】
図２においてＭＦＰ１００は、自動原稿搬送装置１６０（ＡＤＦ：Ａｕｔｏ  Ｄｏｃｕｍｅｎｔ  Ｆｅｅｄｅｒ）を有する。原稿押圧部材２００は開閉可能に配されている。原稿押圧部材２００のうち、原稿台２２０と接する側には白板２１９が取り付けられている。なお、ＭＦＰ１００は、自動的に原稿を搬送する機構を有さなくてもよい。
【００２９】
読み取り部１３０は、原稿台２２０の上に載置された原稿に対して光学スキャナユニット２０９を図２の矢印に示す副走査方向に走査することで、原稿に記録された画像を光学的に読み取り、画像データを生成する。具体的には、原稿台２２０上の原稿は、次の光学系で読み取られる。この光学系は、流し読みガラス２０１、原稿台２２０、光学ランプ２０３とミラー２０４を有する光学スキャナユニット２０９、ミラー２０５および２０６、レンズ２０７、ＣＣＤセンサ２１０を備える。
【００３０】
光学系によって生成された画像情報は光電変換されて、画像メモリ１１９に画像データとして記憶され、画像処理部１１８に入力される。尚、白板２２４は、シェーディングによる白レベルの基準データを作成するための白板である。
【００３１】
図２（ｂ）は原稿台２２０の平面模式図である。図２（ｂ）に示すように光学スキャナユニット２０９は、原稿の主走査方向のサイズ検知を行うためのユニットであり、前述したように矢印に示す副走査方向に走査する。なお、原稿を横置きした際には、原稿の短辺が主走査方向となり、長辺が副走査方向となる、原稿を縦置きした際には、原稿の短辺が副走査方向となり、長辺が主走査方向となる。
【００３２】
図２（ｂ）に示す反射型センサ２２２、２２３は、原稿の副走査方向のサイズ検知を行うためのセンサである。
【００３３】
ここでは、原稿台２２０に載置された原稿３００の読み取りを行い、原稿３００の画像データを生成する画像読み取り手段、および、原稿台２２０に載置された原稿３００のサイズを検知する原稿サイズ検知手段について説明する。
【００３４】
まず、画像読み取り手段について説明する。画像読み取り手段とは、読み取り部１３０において、原稿台２２０に載置された原稿３００に基づいた画像データを生成する手段である。
【００３５】
具体的に説明すると、操作者は、原稿台２２０上の基準位置（左上）に合わせて、原稿３００を載置する。そして、ＣＰＵ１１１は、原稿台２２０に載置された原稿３００を読み取り可能な位置まで光学スキャナユニット２０９を移動させる。なお原稿台２２０上に載置する際に、操作者は、原稿押圧部材２００を開けて、原稿３００の読み取り面を下にして（フェイスダウンと呼ぶ）、原稿台２２０上に原稿３００を載置する。
【００３６】
その後、操作者は、原稿押圧部材２００を閉めて原稿３００を固定し、原稿３００の読み取り指示を行う。または、操作者は、原稿押圧部材２００を開けたまま原稿３００の読み取り指示を行う。このとき、原稿台２２０の左端から右端に向かって光学スキャナユニット２０９を移動させて副走査を行う。原稿３００の原稿台２２０に接している面が、光学ランプ２０３によって露光されて、原稿３００の画像が主走査方向、および、副走査方向に対して読み取られる。そして、原稿３００からの反射光が複数のミラー２０４、２０５，２０６に伝達され、伝達された反射光がレンズ２０７を通過し、集光されてＣＣＤセンサ２１０によって電気信号に変換される。ＣＣＤセンサ２１０から出力された画像データは、画像処理部１１８で処理され、ＲＡＭ１１２で記憶される。
【００３７】
次に原稿検知手段について説明する。原稿検知手段とは、ＣＰＵ１１１が読み取り部１３０で生成された画像データをデバイスＩ／Ｆ１１６を介してＲＡＭ１１２に記憶する。そして、ＣＰＵ１１１が、ＲＡＭ１１２に記憶された画像データに基づき原稿台２２０に載置された原稿３００のサイズを検知する手段である。
【００３８】
具体的に説明すると、原稿台２２０上に載置された原稿３００の副走査方向のサイズは、図２（ｂ）に示すように配置された複数の反射型センサ２２２、２２３によって検出される。反射型センサ２２２、２２３は、その発光部から赤外光を原稿台２２０の下側から発光し、原稿からの反射光をその受光部で受光することにより、原稿の副走査方向のおよその長さを検出する。
【００３９】
続いて、操作者が原稿押圧部材２００を閉じる動作を開始する際に、原稿押圧部材２００が閉じられる途中で、光学ランプ２０３を点灯し、原稿３００を照明する。そしてＣＣＤセンサ２１０は、原稿３００のある１ラインの主走査方向を読み取る。光学ランプ２０３からの光が原稿３００により遮られ反射される部分と、原稿３００がないため遮られず反射光が戻ってこない部分が検出され、その検出結果により原稿３００の端部が検出される。このように検出された主走査方向長とある程度の副走査方向長により、定形サイズとして原稿３００のサイズが確定する。
【００４０】
次に、およその長さに分類できる程度に副走査方向長を検出している理由は、主走査方向長がある程度精密に検出できるためである。例えば、主走査方向長として、Ａ４サイズ分の主走査方向長が検知できた場合に、副走査方向の反射型センサ２２２、２２３が両方とも原稿からの反射光を検知していればＡ３サイズと、読み取り部１３０が確定することが可能である。
【００４１】
また、反射型センサ２２２、２２３が両方とも未検知であればＡ４とサイズを確定することが可能である。
【００４２】
本実施例では、原稿３００のサイズをセンサによって検知することにより設定する構成について説明したが、これに限らない。原稿３００のサイズは、ＭＦＰ１００の操作者が操作部１５０を操作し、ＣＰＵ１１１が原稿３００のサイズを受け付けることで決定してもよい（第２受け付け手段）。
【００４３】
その場合、操作者が操作部１５０で選択した原稿３００のサイズの情報を、ＣＰＵ１１１がＲＡＭ１１２に記憶する。
【００４４】
本実施例では、読み取り部１３０が備える光学系は、原稿３００からの反射光をＣＣＤセンサ２１０上に結像する縮小光学系である場合について説明したが、これに限らない。読み取り部１３０が備える光学系は、原稿３００からの反射光をＣＩＳ（Ｃｏｎｔａｃｔ  Ｉｍａｇｅ  Ｓｅｎｓｏｒ）上に結像する等倍光学系であってもよい。
【００４５】
図３は、原稿の開閉状態を検知する手段を説明するための読み取り部１３０および原稿押圧部材の断面模式図の一例である。図３を用いて読み取り部が、原稿押圧部材２００の開閉状態を検知する手段を説明する。
【００４６】
開閉検知センサ２３１、２３２、２３３、２３４は、原稿押圧部材２００の開閉操作が行われた際に、開閉角度を検知するセンサである。
【００４７】
原稿押圧部材２００が閉じられた状態である場合に開閉検知センサ２３１は、フィン２３５によってフォトインタラプタ内で照射及び受光されている光が遮断されていることを検知する。この状態が開閉検知センサによって、原稿押圧部材２００が閉じていると検知された状態（以下、閉じている状態）である。この状態から操作者が原稿押圧部材２００を押し上げようとすると、開閉検知センサ２３１に位置していたフィン２３５が外れ、開閉検知センサ２３１はそれを検知する。検知した信号は、読み取り部１３０からデバイスＩ／Ｆ１１６を介してＣＰＵ１１１に伝えられる。この検知した信号によって、ＣＰＵ１１１は、原稿押圧部材２００が開かれたことを検知する。この状態が開閉検知センサによって、原稿押圧部材２００が開いていると検知された状態（以下、開いている状態）である。
【００４８】
また、ＣＰＵ１１１は、原稿押圧部材２００の開閉角を判定する。開閉検知センサ２３２は、原稿押圧部材２００が例えば３０°開いたことを検知するように配置されている。開閉検知センサ２３３は、原稿押圧部材２００が例えば４５°開いたことを検知するように配置されている。開閉検知センサ２３４は、原稿押圧部材２００が例えば７０°開いたことを検知するように配置されている。
【００４９】
そして原稿押圧部材２００が例えば３０°開いた状態になったことを検知したときに、前述したように原稿サイズの検知を行う。このように、原稿押圧部材２００が開いた状態と検知する角度は、小さい方がよい。外光が入りづらい状態で原稿３００に光を照射し、その反射光を読み取る読取処理を行うことによって、原稿のサイズを正確に判定するためである。
【００５０】
図４の原稿模式図および画像データ模式図を用いて原稿押圧部材２００が閉じている状態の自動色判定手段について説明する。一般的に読み取り部１３０において生成された画像データ３０１がカラー原稿か、モノクロ原稿かを判定する自動色判定手段（ＡＣＳ：Ａｕｔｏ  Ｃｏｌｏｒ  Ｓｅｌｅｃｔ）を備えた画像形成装置が知られている。
【００５１】
ＡＣＳは、読み取り部１３０によって生成された画像データ３０１の特定領域（以後、色判定領域）にカラー画素が含まれるか否かによって原稿３００から得られた画像データ３０１がカラーであるかモノクロであるかを判定する。
【００５２】
具体的には、画像処理部１１８が、原稿のサイズに基づき色判定領域を設定する。ここで、原稿のサイズに基づきとは、画像メモリ１１９に記憶された画像データに基づくものを含んでもよい。
【００５３】
そして、画像処理部１１８が、色判定領域において、カラーの画素の有無を判定し、カラーと判定された画素が主走査方向、または、副走査方向に一定数連続する場合は、カラーラインと判定する。カラーラインが他の方向に一定数連続して存在する場合には、画像処理部１１８は原稿をカラー原稿として判断する。カラー原稿と判断するための連続画素や連続ラインの閾値はＨＤＤ１１４またはＲＡＭ１１２に記憶されている値で設定してもよいし、記憶されている複数の値の中から操作者があらかじめ選択してもよい。
【００５４】
なお、色判定領域は、読み取り部１３０が画像データの生成を行う際に原稿３００の読み込みを行う領域となる。
【００５５】
次に色判定領域について図４（ａ）および図４（ｂ）を用いて説明する。図４（ａ）および（ｂ）において、原稿３００に対して、後述の非読み取り領域３０５を除いた領域が領域３０６となる。領域３０６から後述の非判定領域３０４を除いた領域が色判定領域３０２になる。
【００５６】
まずは、原稿押圧部材２００が閉じている状態の色判定領域について説明する。図４（ａ）は、原稿３００を示し、図４（ｂ）は、原稿押圧部材２００が閉じている状態で、読み取り部１３０が原稿３００の読み取りを行った際に生成された画像データ３０１を示す。
【００５７】
図４（ａ）に示すように、色判定領域３０２を原稿３００のサイズよりも少し狭めている。原稿３００の一部の領域が色判定領域３０２となる。一般的に色判定領域３０２を広くすることで、原稿３００の端部にカラーが存在する場合であってもカラー原稿として正確に判定することが可能となる。
【００５８】
しかし、図４（ｂ）の画像データを生成する際に原稿台２２０に原稿３００を載置した際に原稿台２２０の角に原稿３００が突き当たっていない等の理由で、原稿３００以外の領域を含んで画像データ３０１として読み取るおそれがある。このとき、原稿３００以外の領域にゴミが載ることがあり、このような場合には、色判定領域を広げすぎるとモノクロ原稿をカラー原稿と誤判定するおそれがある。そのため、色判定領域３０２を原稿３００のサイズよりも少し狭めることで、上記の場合であっても、原稿３００から得られた画像データ３０１がカラーであるかモノクロであるかを適切に判定することができる。
【００５９】
そこで、色判定領域３０２は、画像データ３０１に対して判定を行わない領域（以後、非判定領域３０４）を設定することで定められる。具体的には、非判定領域３０４は、色判定領域３０２の周囲を囲むように設定される。非判定領域３０４は、例えば０．５ｍｍ以上、２０ｍｍ以下で設定する。なお、非判定領域３０４は、画像データの生成を行う際に原稿３００の読み込みを行う。
【００６０】
この非判定領域３０４は、ＭＦＰ１００の操作者が操作部１５０を通じて非判定領域３０４の幅を指定することによって設定してもよい。また、あらかじめＲＡＭ１１２やＨＤＤ１１４等に記憶していた情報をＣＰＵ１１１が画像処理部１１８へ情報を読み出すことで設定してもよい。
【００６１】
また、図４のように、読み取り部１３０が原稿３００の読み取りを行わない領域であり、且つ、色判定を行わない領域である非読み取り領域３０５を設定してもよい。非読み取り領域３０５は、非判定領域３０４の周囲を囲むように設定される。
【００６２】
具体的に説明すると非読み取り領域３０５は、プリント時に用紙の端を白色とする領域である。つまり、画像データ３０１を生成する際に、非読み取り領域３０５に対応する領域に白色の情報を画像処理部１１８が追加することにより、原稿３００の読み取りをする際に原稿３００がある部分と無い部分との境目が用紙に印刷されることを抑制している。
【００６３】
次に、図５、図６を用いて、原稿押圧部材２００が開いている状態で、読み取り部１３０が原稿３００の読み取りを行う場合の課題について説明する。
【００６４】
図５（ａ）では、原稿押圧部材２００が開いている状態で、原稿台２２０に載置された原稿３００を読み取り部１３０が読み取るところを表している。
【００６５】
原稿押圧部材２００が開いているため、原稿台２２０に載置された原稿３００の一部が原稿台２２０から浮くおそれがある。例えば、カールしやすい薄い原稿や、角をステープル止めされている原稿束等の折り目がついた原稿は、原稿押圧部材が開いている状態だと原稿の端部が浮きやすい。ここでは、例として原稿３００の位置Ａから左端に近い位置Ｂにかけて原稿台２２０から徐々に浮きが大きくなる状態を示した。
【００６６】
図５（ｂ）は原稿３００を示し、原稿３００のうち原稿台２２０から浮いている領域４１１を平面図で示している。
【００６７】
図５（ｃ）は、図５（ｂ）の原稿３００の読み取りを行った場合に読み取り部１３０で生成される画像データ４０１である。図５（ｃ）に示すように、原稿３００の浮いている領域４０９を読み取り部１３０が読み取ることで生成される画像データ４０１は、図５（ｂ）に示す原稿３００と異なるものとなる。
【００６８】
画像データ４０１において位置Ｂは、図５（ａ）に示すように原稿３００の浮きが大きいため黒色となる。画像データ４０１において位置Ｂよりも原稿の内側である位置Ａは、位置Ｂに比べて浮きが少ないため薄い青色や緑色となる。原稿３００が浮いている事により色が変化した領域を、異なる色に変化した領域４０９とする。なお、本実施例において、読み取り部１３０が生成した画像データ４０１の端部は、非読み取り領域が設定されている。そのため、図５（ｃ）に示すように画像データの端部は、浮きによる色がつかない領域（白色）となっているが、非読み取り領域を設定しない場合には異なる色に変化した領域４０９の一部となる。
【００６９】
このように原稿３００の浮きの程度によって、原稿３００の読み取りによって生成される画像データ４０１の一部が実際の原稿３００と異なる色に変化してしまうおそれがある。そのためＡＣＳを行う際に、画像データ４０１のうち実際の原稿３００と異なる色に変化した領域４０９と、色判定領域とが重なると、モノクロの原稿を用いた場合でも画像処理部１１８は、原稿３００をカラー原稿であると誤判定するおそれがある。詳細は、図６を用いて説明する。
【００７０】
図６では、図５（ｃ）に示した画像データ４０１において原稿台２２０からの原稿３００の浮きによって、画像データ４０１が原稿３００に対して異なる色に変化した領域４０９と色判定領域４０２とが重なった状態を示す。また、図６の色判定領域４０２は、図４の色判定領域３０２と同じ領域であってもよい。図６では、同じ領域として説明する。
【００７１】
図６において色判定領域４０２は、位置Ａを内包する。前述したように位置Ａにおける画像データ４０１は、薄い青色や緑色となる。この状態でＡＣＳを行うと、原稿３００がモノクロである場合でもカラーとして判定されるおそれがある。また判定に基づき印刷部１４０が印刷処理を行うと、本来モノクロ印刷すべき所をカラー印刷してしまい、余計にトナーを消費することや、利用者にカラー印刷料金を請求するおそれがある。
【００７２】
図７および図８を用いて、図５および図６で示した課題を解決するための本実施形態におけるＡＣＳの色判定領域の設定方法と、その効果について説明する。
【００７３】
図７は、原稿模式図を示し、原稿押圧部材２００が開いている状態における色判定領域の設定方法を説明している。色判定領域４０７は、ＣＰＵ１１１が色判定領域４０２から狭め量４０８だけ狭めることで設定される。つまり、原稿押圧部材２００が閉じている状態の色判定領域４０２よりも、原稿押圧部材２００が開いている状態の色判定領域４０７が狭くなる。
【００７４】
具体的には、色判定領域４０７は、判定領域４０２から狭め量４０８だけ狭めた領域である。このとき、図７に示すように色判定領域４０２の周囲を狭めることで設定したほうがよい。これは、原稿台２２０に原稿３００を置いた際には、原稿３００の周囲（外延）に近い領域において浮きが生じやすいからである。
【００７５】
狭め量４０８は、ＨＤＤ１１４にあらかじめ記憶された原稿サイズ毎の固定値としてもよい。また、狭め量４０８は原稿３００のサイズによらず一律に適用してもよい。
【００７６】
またはＨＤＤ１１４にあらかじめ記憶された複数の狭め幅の中から操作部１５０を介して操作者によって選択されてもよい（選択手段）。選択された狭め幅は、画像処理部１１８によって受け付けられる。さらには、狭め量４０８は、操作部１５０を介して操作者によって設定された辺の設定された量として、画像処理部１１８によって受け付けられてもよい。具体的には、例えば原稿３００の二つの長辺の各々に対して３０ｍｍ、二つの短辺の各々に対して２０ｍｍの狭め量が操作者によって操作部１５０を介して設定される。
【００７７】
なお、ＲＡＭ１１２にあらかじめ記憶された狭め量４０８を用いる場合の具体例を説明する。原稿３００の２つの短辺の各々における狭め量Ｘは、０ｍｍ＜Ｘ≦４０ｍｍとなり、原稿３００の２つの長辺の各々における狭め量Ｙは、０ｍｍ＜Ｙ≦７０ｍｍとした方がよい。前述のように固定値および複数の狭め量を設定する場合には、この範囲にとなるような固定値、または、複数の狭め量とした方がよい。このような値の範囲によれば、Ａ５サイズ以上のすべての用紙に色判定領域を残しつつ狭め量を設定することが可能である。
【００７８】
また、原稿３００のサイズ毎の固定値を設けてもよい。具体的には、Ａ４サイズのときには、長辺に対して３０ｍｍの狭め量を用い、短辺に対して２０ｍｍの狭め量を用いる。Ｂ４サイズのときには、長辺に対して４０ｍｍの狭め量を用い、短辺に対して３０ｍｍの狭め量を用いる。Ａ３サイズのときには、長辺に対して５０ｍｍの狭め量を用い、短辺に対して４０ｍｍの狭め量を用いる。レターのときには、長辺に対して２０ｍｍの狭め量を用い、短辺に対して１０ｍｍの狭め量を用いる。このように、原稿３００のサイズが大きくなるにつれて、狭め量４０８を大きくすることで、原稿３００のサイズが大きくなることで浮きの量が大きくなっても、色判定における誤判定を減少させることが可能である。
【００７９】
なお、色判定領域４０２を操作者が設定する際には、一定以下のサイズにならないように、設定可能な狭め量４０８に上限を設けてもよい。これは、狭め量が大きすぎる場合には、非判定領域がなくなるおそれがあるからである。
【００８０】
なお、原稿３００のサイズに対して色判定を行うことが可能な色判定領域が残れば、長辺および短辺の狭め量が上述の範囲を超えてもよい。その場合に、複数の狭め量を操作者が選択可能にしてもよいし、原稿３００のサイズ毎の固定値を設けてもよい。
【００８１】
図７の構成によれば、原稿台２２０からの原稿３００の浮きによって画像データ３０１の色が正しく読み取れない領域と、色判定領域とが重なりづらくなる。そして、原稿押圧部材２００が開いた状態で行われる原稿３００の読み取りによって生成される画像データの色判定において原稿の浮きの影響による誤判定を低減することが可能となる。
【００８２】
図８は、本実施例の色判定領域の設定方法を用いた際の効果を説明する図である。本実施例の色判定領域の設定方法によれば、原稿押圧部材２００が開いていることで生じた原稿３００の浮きによって画像データ４０１の一部が実際の原稿３００と異なる色に変化しても、異なる色に変化した領域４０９と、色判定領域４０７とが重ならない。そのため、モノクロ原稿ならばＡＣＳによって適切にモノクロ原稿として判定することが可能となる。
【００８３】
つまり、狭め量４０８を適用しない場合（図６）に対して、狭め量４０８を適用する場合（図８）は、原稿押圧部材２００が開いている状態における原稿３００の浮きによって生じるＡＣＳの誤判定を低減することが可能となる。
【００８４】
なお、原稿押圧部材２００が閉じている状態あるいは色判定領域を狭める設定が無効ならば、画像処理部１１８は色判定領域を狭めない。この場合には画像処理部１１８は設定した色判定領域に従い、広い領域に対して判定することを優先する。そのため、例えば原稿の端のみにカラー画像が含まれているカラー原稿の場合には、自動色判定によって適切にカラーの画像データとして判定することが可能となる。
【００８５】
また、カラー判定領域を狭めることに加え、自動色判定でカラーの画像データと判定する条件を変更してもよい。例えば、画像データのうち色判定領域の該当領域においてカラー画素が何画素以上連続している場合はカラー判定するという条件を変更前に比して変更後を厳しくしてもよい。
【００８６】
図９に本実施例のＡＣＳの処理手順を示すフローチャートを示す。このフローチャートで示される処理を実行するためのプログラムはＲＯＭ１１３またはＨＤＤ１１４に記憶されており、ＣＰＵ１１１によって実行される。
【００８７】
図９のフローチャートは原稿３００が原稿台２２０にセットされている状態で、スキャン処理を実行する場合の手順のうち、説明に必要な部分を抜粋したものである。なお、図９のフローチャートの処理は、操作部１５０を介してスキャンの実行指示を受け付けたことに従って開始される。なお、フローチャートを実行する前の段階において、操作者によってスキャンの設定が行われているものとする。具体的に、スキャンの設定には、原稿の種類（文字または写真）の設定や、画像の濃さ、原稿のサイズ、ＡＣＳの有効／無効の設定である。ＡＣＳが無効の場合、操作者は、操作部１５０を介して、原稿がカラー原稿またはモノクロ原稿であることを設定する。ＣＰＵ１１１は、これらの設定を操作部１５０を介して受け付け、受け付けた設定はＨＤＤ１１４に記憶される。
【００８８】
また、ＣＰＵ１１１は、色判定領域を狭める設定が有効であるか、無効であるかの設定を、操作部１５０を介してＭＦＰ１００の機器の設定として受け付け、受け付けた設定をＨＤＤ１１４に記憶しておくものとする。
【００８９】
Ｓ８０１では、ＣＰＵ１１１が、Ｓ８０１の前の段階であらかじめ取得する。具体的には、原稿押圧部材２００が開いているときには、操作者から受け付けた原稿のサイズを用いる。一方、原稿押圧部材２００が閉じている時には、操作者から受け付けた原稿のサイズを用いてもよいし、原稿サイズ検知手段によって検知された原稿のサイズを用いてもよい。ＣＰＵ１１１は、取得した原稿サイズと、あらかじめ設定された非判定領域および非読み取り領域から、色判定領域のサイズを設定し（領域設定手段）、Ｓ８０５およびＳ８０６で読み出せるように、ＲＡＭ１１２に保存する。Ｓ８０２に進む。
【００９０】
Ｓ８０２では、ＣＰＵ１１１が、原稿押圧部材２００が開いている場合に、ＭＦＰ１００の機器の設定としてＨＤＤ１１４に記憶された色判定領域を狭める設定が有効か無効かを判定する。設定が有効ならばＳ８０３に進む。設定が無効ならばＳ８０６に進む。
【００９１】
Ｓ８０３では、ＣＰＵ１１１が、開閉検出手段によって原稿押圧部材２００の開閉状態を取得する。Ｓ８０４に進む。
【００９２】
Ｓ８０４では、ＣＰＵ１１１が、Ｓ８０３で取得した原稿押圧部材２００が開いている状態であるか否かを判定する。開いている状態であると判定したならばＳ８０５へ、閉じているである状態であると判定したならばＳ８０６に進む。
【００９３】
Ｓ８０５では、ＣＰＵ１１１が、原稿押圧部材２００が開いている状態の場合に、Ｓ８０１で設定した判定領域から、あらかじめ設定されている色判定領域の狭め量を狭める。Ｓ８０６に進む。
【００９４】
Ｓ８０６では、Ｓ８０１あるいはＳ８０５で計算し、ＲＡＭ１１２に記憶された色判定領域を、ＣＰＵ１１１が読みだして画像処理部１１８に設定する。Ｓ８０７に進む。
【００９５】
Ｓ８０７では、ＣＰＵ１１１が読み取り部１３０に原稿３００を読み取るよう指示する。読み取り部１３０は、指示を受けて、原稿台２２０上にセットされた原稿３００の読み取りを行い、画像データを生成する。Ｓ８０８に進む。
【００９６】
Ｓ８０８では、読み取り部１３０による原稿３００の読み取りを行う前に操作者が操作部１５０によってスキャンの設定としてＡＣＳを有効に設定したか否かを判定する。ＡＣＳが有効に設定されている場合にはＳ８０９へ、ＡＣＳが無効に設定された場合（例えば、原稿がカラーであると設定された場合、あるいは、原稿がモノクロであると設定された場合）はＳ８１１に進む。
【００９７】
Ｓ８０９では、Ｓ８０７で得られた画像データのＳ８０６で設定された色判定領域に対応する領域にＡＣＳを実施する。ＡＣＳでは、前述したように、設定した色判定領域にカラー画素が一定数含まれているか否かを判定する。なお、色判定領域ではない領域にカラー画素が一定数含まれているか否かについては、判定しない。Ｓ８１０に進む。
【００９８】
Ｓ８１０では、ＣＰＵ１１１は、Ｓ８０９の判定の結果、原稿がカラー原稿であるか、モノクロ原稿であるかを判定する。カラー原稿であると判定した場合にＳ８１２へ、モノクロ原稿であると判定した場合にＳ８１３に進む。
【００９９】
Ｓ８１１では、ＣＰＵ１１１は、スキャンの設定として、原稿がカラー原稿であると設定されたか、モノクロ原稿であると設定されたかをＨＤＤ１１４に記憶されたスキャンの設定を参照して判定する。スキャンの設定として、原稿がカラー原稿であると設定されている場合はＳ８１２に、スキャンの設定として、原稿がカラー原稿であると設定されている場合はＳ８１３に進む。
【０１００】
Ｓ８１２では、Ｓ８０７で得られた画像データをカラー画像フォーマットに変換してＲＡＭ１１２に記憶する。
【０１０１】
Ｓ８１３では、Ｓ８０７で得られた画像データをモノクロ画像フォーマットに変換してＲＡＭ１１２に記憶する。
【０１０２】
コピージョブの場合はこの読み取り処理の後、ＲＡＭ１１２に記憶した画像を画像メモリ１１９に読み出し、画像のカラー、モノクロ情報に従い印刷処理を実行する。カラー印刷処理を行う場合には、複数の色のトナーを用いて印刷し、モノクロ印刷の場合には、黒のトナーを用いて印刷を行う。そのため、カラー印刷における印刷料金は、モノクロの印刷料金よりも高くなる。
【０１０３】
以上のようにして、色判定手段における色判定領域の設定が終了する。
【０１０４】
本実施例によれば、自動カラー判定を正確に実施することが可能である。特に、生成された画像データを印刷する際に、モノクロ原稿の場合は適切にモノクロ印刷を実施し、カラー原稿の場合は適切にカラー印刷を実施することが可能となる。つまり、モノクロ原稿の場合に、カラー印刷を実施することを抑制することで、利用者に余分に料金を支払わせることを抑制することが可能となる。
【０１０５】
（その他の実施例）
以上、本発明の例を示して説明したが、本発明の趣旨と範囲は、本明細書内の特定の説明に限定されるものではない。例えば、非判定領域３０４および非読み取り領域３０５の少なくとも一方が設けられなくてもよい。
【０１０６】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０７】
２００  原稿押圧部材
２２０  原稿台
３００  原稿
３０２  色判定領域
４０２  色判定領域
４０７  色判定領域
【図１】
2018125688.tif 000003
【図２】
2018125688.tif 000004
【図３】
2018125688.tif 000005
【図４】
2018125688.tif 000006
【図５】
2018125688.tif 000007
【図６】
2018125688.tif 000008
【図７】
2018125688.tif 000009
【図８】
2018125688.tif 000010
【図９】
2018125688.tif 000011